(57)【要約】【課題】シート材の識別を精度良くおこなうことができるシート材識別装置を提供する。【解決手段】衝撃印加部材２０１により圧電素子２０２に直に衝撃力を印加し、シート材不在衝撃力を印加衝撃力として検知する。さらに、衝撃印加部材２０１によりシート材２０３に衝撃力を印加し、シート材２０３を介して受ける衝撃力をシート材介在衝撃力として検知する。識別部は、この印加衝撃力とシート材介在衝撃力とに基づいて識別をおこなうことにより、シート材２０３の識別を精度良くおこなうことができる。【選択図】      図２
2005351675.tif 000002
【特許請求の範囲】
【請求項１】
搬送路上に搬送されるシート材の識別をおこなうシート材識別装置において、
シート材に衝撃力を衝撃印加部材を介して印加自在な衝撃印加手段と、
前記搬送路を介して前記衝撃印加部材と対向して配置され、シート材を介して受ける前記衝撃印加部材からの衝撃力をシート材介在衝撃力として検知するシート材介在衝撃力検知手段と、
前記シート材介在衝撃力検知手段が前記シート材介在衝撃力を検知する際の、前記衝撃印加部材が印加する衝撃力を印加衝撃力として検知する印加衝撃力検知手段と、
前記シート材介在衝撃力と前記印加衝撃力とに基づきシート材の識別をおこなう識別手段と、
を備えることを特徴とするシート材識別装置。
【請求項２】
前記印加衝撃力検知手段は、シート材が介在していない際に、前記衝撃印加部材による衝撃力の印加を実行する試打実行手段と、前記試打実行手段の実行によって前記衝撃印加部材から受ける衝撃力をシート材不在衝撃力として検知するシート材不在衝撃力検知手段と、を有し、前記シート材不在衝撃力を前記印加衝撃力として検知する、
ことを特徴とする請求項１に記載のシート材識別装置。
【請求項３】
前記印加衝撃力検知手段は、衝撃力を印加する際の前記衝撃印加部材の速度を検知する速度検知手段を有し、前記衝撃印加部材の速度に基づき前記印加衝撃力を検知する、
ことを特徴とする請求項１に記載のシート材識別装置。
【請求項４】
前記印加衝撃力検知手段は、前記衝撃印加部材の振動量を検知する振動量検知手段と、前記衝撃印加部材の振動量が所定量以下である際に、前記衝撃印加部材によるシート材への衝撃力の印加を許可する静定時印加許可手段と、を有し、前記衝撃印加部材により印加する衝撃力を定常的にすることによって、前記印加衝撃力を検知する、
ことを特徴とする請求項１または２に記載のシート材識別装置。
【発明の詳細な説明】
【技術分野】
【０００１】
本発明は、シート材の識別をおこなうシート材識別装置に関し、特にシート材に衝撃を印加することによりシート材の種類を識別するものに関する。
【背景技術】
【０００２】
従来、複写機、プリンタ、あるいはＦＡＸ等の画像形成装置は、記録媒体となるシート材に対して画像の形成をおこなう。画像を形成するためのシート材には、コピー紙等の普通紙をはじめとして、光沢紙、コート紙、再生紙、或いは、ＯＨＰ等が用いられる。
【０００３】
画像形成装置が、このような多くの種類のシート材に対してそれぞれに良い品質の画像を形成するためには、シート材の種類に合わせた画像形成をおこなうことが好ましく、画像形成の前にシート材の種類を自動的に識別できることが望ましい。
【０００４】
そこで、記録媒体を搬送する経路の近くに少なくとも１つの照明源を敷設し、照明源の光を記録媒体の表面に照射して、記録媒体表面からの光の放射強度を検出するセンサ要素の出力信号を処理することにより、記録媒体の識別をおこなうものが提案されている（特許文献１参照）。
【０００５】
【特許文献１】特開２０００−３０１８０５号公報
【発明の開示】
【発明が解決しようとする課題】
【０００６】
しかしながら、上述したような光の放射強度を利用してシート材の識別をおこなうものは、搬送経路を搬送されるシート材の角度が変化するような、例えばシート材のばたつきや歪み等を生じた場合、シート材からの光が乱反射することにより光を正確に検出することができず、シート材の識別を精度良くおこなうことができない場合が生じるという問題があった。
【０００７】
そこで本発明は、精度良くシート材の識別をおこなうことが可能なシート材識別装置を提供することを目的とするものである。
【課題を解決するための手段】
【０００８】
本発明は、搬送路上に搬送されるシート材の識別をおこなうシート材識別装置において、シート材に衝撃力を衝撃印加部材を介して印加自在な衝撃印加手段と、前記搬送路を介して前記衝撃印加部材と対向して配置され、シート材を介して受ける前記衝撃印加部材からの衝撃力をシート材介在衝撃力として検知するシート材介在衝撃力検知手段と、前記シート材介在衝撃力検知手段が前記シート材介在衝撃力を検知する際の、前記衝撃印加部材が印加する衝撃力を印加衝撃力として検知する印加衝撃力検知手段と、前記シート材介在衝撃力と前記印加衝撃力とに基づきシート材の識別をおこなう識別手段と、を備えることを特徴とするものである。
【０００９】
また本発明は、前記印加衝撃力検知手段は、シート材が介在していない際に、前記衝撃印加部材による衝撃力の印加を実行する試打実行手段と、前記試打実行手段の実行によって前記衝撃印加部材から受ける衝撃力をシート材不在衝撃力として検知するシート材不在衝撃力検知手段と、を有し、前記シート材不在衝撃力を前記印加衝撃力として検知することを特徴とするものである。
【００１０】
また本発明は、前記印加衝撃力検知手段は、衝撃力を印加する際の前記衝撃印加部材の速度を検知する速度検知手段を有し、前記衝撃印加部材の速度に基づき前記印加衝撃力を検知することを特徴とするものである。
【００１１】
また本発明は、前記印加衝撃力検知手段は、前記衝撃印加部材の振動量を検知する振動量検知手段と、前記衝撃印加部材の振動量が所定量以下である際に、前記衝撃印加部材によるシート材への衝撃力の印加を許可する静定時印加許可手段と、を有し、前記衝撃印加部材により印加する衝撃力を定常的にすることによって、前記印加衝撃力を検知することを特徴とするものである。
【発明の効果】
【００１２】
本発明にかかるシート材識別装置によれば、印加衝撃力検知手段が衝撃印加部材が印加する衝撃力を印加衝撃力として検知し、シート材介在衝撃力検知手段がシート材を介して受ける衝撃印加部材からの衝撃力をシート材介在衝撃力として検知し、それぞれ検知した印加衝撃力とシート材介在衝撃力とに基づいてシート材の識別をおこなうので、シート材の識別を精度良くおこなうことができる。
【発明を実施するための最良の形態】
【００１３】
＜第１の実施の形態＞
以下、本発明の第１の実施の形態にかかるシート材識別装置を図１乃至図４に沿って説明する。図１は本発明にかかるシート材識別装置の機能的構成を示すブロック図、図２は第１の実施の形態にかかる衝撃印加機構部の構成及びシート材が介在していない状態を示す断面図、図３は第１の実施の形態にかかる衝撃印加機構部の構成及びシート材が介在している状態を示す断面図、図４はシート材識別装置のシート材識別動作を示すフローチャートである。
【００１４】
本発明にかかるシート材識別装置１００は、例えば画像形成装置において、当該画像形成装置が画像を形成する際に使用するシート材（即ち、記録媒体）が搬送される搬送路上に配設され、シート材の材質や種類等の識別をおこなう装置である。
【００１５】
即ち、画像形成装置は、例えばイメージスキャナ等で読み取った画像データをメモリ等に記憶し、この読み取った画像データを給紙トレー等から搬送されてくるシート材に対して感光性ドラム等を通じて出力をおこなうものであって、シート材識別装置１００は、画像形成される前の搬送路上を搬送されるシート材の識別をおこない、例えば画像形成装置による画像形成動作の設定等（例えば、搬送速度、画像形成速度、トナーやインク量、定着温度などの設定等）に用いるため、その識別情報を出力するものである。そのため、シート材識別装置１００は、画像形成装置の給紙から画像形成するまでの間の搬送路上の任意の位置に設置される。
【００１６】
つづいて、本発明にかかるシート材識別装置の機能的構成を説明する。図１に示すように、シート材識別装置１００は、衝撃印加機構部（衝撃印加手段）１０１と制御部１０２とからなり、さらに、制御部１０２は、印加衝撃力検知部１０３とシート材介在衝撃力検知部１０４と識別部１０５とを有する構成となっている。
【００１７】
このうち衝撃印加機構部１０１は、シート材識別装置１００内の搬送路上を通過するシート材に衝撃力を印加するための機構である。図２及び図３に示すように、シート材識別装置１００の衝撃印加機構部１０１は、衝撃印加部材２０１と、圧電素子２０２と、カム２０４と、ガイド２０５と、ばね２０６と、固定軸２０８とを備えている。また、シート材２０３は、例えば画像形成装置の搬送路の一部であるシート材搬送ガイド２０７内を搬送される。なお、このシート材搬送ガイド２０７は、シート材識別装置１００のユニットの一部として備えられていてもよい。
【００１８】
上記衝撃印加部材２０１は、詳しくは後述する圧電素子２０２やシート材２０３に衝撃力を印加するための部材である。カム２０４は、軸方向に対する断面が半円柱形状に形成されており、固定軸２０８を回転軸として衝撃印加部材２０１を引き上げるための部材であって、不図示のモータ等により図２及び図３に示す矢印ＡＲ２の向きに回転することにより、衝撃印加部材２０１を上方に引き上げ、そのまま所定回転後に解放する。
【００１９】
ガイド２０５は、衝撃印加部材２０１を狭持し、衝撃印加部材２０１が移動する方向を維持する。ばね２０６は、カム２０４によって衝撃印加部材２０１が引き上げられたときに圧縮し、解放されたときに伸張することによって衝撃印加部材２０１を加速する。これにより、衝撃印加部材２０１は、後述する圧電素子２０２やシート材２０３に衝撃力を印加する。
【００２０】
なお、衝撃印加部材２０１は、印加した際の衝撃力を自身で吸収しない非弾性部材を用いることが好ましく、例えば弾性率の低い金属、硬化プラスチック等を用いることが考えられる。
【００２１】
一方、圧電素子２０２は、衝撃印加部材２０１にシート材搬送ガイド２０７を介して対向配置されており、衝撃や音波などの振動による機械的な外力に応じて電圧等の電気的な出力信号（電圧信号）を発生するセンサ素子からなる。圧電素子２０２は、この性質を利用し、衝撃印加部材２０１から衝撃力が印加された際の電圧信号を発生する。
【００２２】
また、シート材２０３は、画像形成装置の搬送ローラ等によってシート材搬送ガイド２０７に沿って矢印ＡＲ１に示す方向に搬送される。図２においては、シート材２０３が、シート材搬送ガイド２０７上であって、衝撃印加部材２０１の先端部分と圧電素子２０２との間に搬送される前の状態、つまりシート材２０３が衝撃印加部材２０１と圧電素子２０２との間に介在していない（不在の）状態が示されており、図３においては、シート材２０３が、衝撃印加部材２０１の先端部分と圧電素子２０２との間に搬送された状態、つまりシート材２０３が衝撃印加部材２０１と圧電素子２０２との間に介在している状態が示されている。
【００２３】
ついで、第１の実施の形態にかかるシート材識別装置１００の動作を説明する。例えば画像形成装置のセンサ等を介してシート材が搬送されてくることが信号入力されると、図２に示すように、シート材２０３がシート材搬送ガイド２０７に沿って衝撃印加部材２０１の先端部分と圧電素子２０２との間に搬送される前に、制御部１０２の印加衝撃力検知部１０３により不図示のモータが制御され、衝撃印加機構部１０１のカム２０４を矢印ＡＲ２に示す方向に回転させる。これにより、カム２０４は、衝撃印加部材２０１をガイド２０５に沿って引き上げた状態で保持し、ばね２０６を圧縮する。
【００２４】
そして、カム２０４は半円柱形状であるため、さらに回転させると衝撃印加部材２０１を引き上げた状態から解放し、ばね２０６の伸張と共に衝撃印加部材２０１が加速され、シート材２０３が不在な状態で、つまり衝撃力を直に圧電素子２０２に印加する、いわゆる試打をおこなう（即ち、試打実行手段、図４のＳ４０１）。
【００２５】
このとき、圧電素子２０２は、このシート材２０３が介在していない状態の衝撃力（以下、「シート不在衝撃力」という）に応じた電圧信号を生じ、図１に示した制御部１０２の印加衝撃力検知部１０３へと電圧信号を伝達する。これにより、印加衝撃力検知部１０３は、シート材不在衝撃力、つまり衝撃印加部材２０１により印加する印加衝撃力を前もって検知する（シート材不在衝撃力検知手段、図４のＳ４０２）。よって本発明におけるシート材介在衝撃力検知手段は、本第１の実施の形態においては、圧電素子２０２とシート材介在衝撃力検知部１０４とを含み、一方、印加衝撃力検知手段は、圧電素子２０２と印加衝撃力検知部１０３とを含み構成されている。
【００２６】
つづいて、当該シート材２０３がシート材搬送ガイド２０７に沿って矢印ＡＲ１に示す方向に搬送され、衝撃印加部材２０１の先端部分と圧電素子２０２との間まで搬送されると、制御部１０２のシート材介在衝撃力検知部１０４により不図示のモータが制御され、上述と同様にカム２０４を矢印ＡＲ２方向に回転させて、衝撃印加部材２０１によりシート材２０３に対して衝撃力を印加する（図４のＳ４０３）。
【００２７】
このとき、圧電素子２０２は、このシート材２０３が介在している状態の衝撃力（以下、「シート材介在衝撃力」という）に応じた電圧信号を生じ、図１に示した制御部１０２のシート材介在衝撃力検知部１０４へと電圧信号を伝達する。これにより、シート材介在衝撃力検知部１０４は、シート材介在衝撃力、つまりシート材２０３によって吸収されなかった衝撃力を検知する（シート材介在衝撃力検知手段、図４のＳ４０４）。
【００２８】
そして、制御部１０２の識別部１０５は、上述した印加衝撃力検知部１０３にて検知した印加衝撃力と、シート材介在衝撃力検知部１０４によって検知したシート材介在衝撃力とに基づき、シート材２０３が吸収した衝撃力を算出し、例えばあらかじめ用意されたシート材別のテーブルデータを参照するなどして、シート材２０３の識別をおこなう（識別手段、図４のＳ４０５）。
【００２９】
このテーブルデータは、シート材別に割り当てられた電圧の最大値や電圧の減衰率等の値が記録されているものであり、例えば不図示のＲＯＭやデータベースなどにあらかじめ格納されているものである。なお、テーブルデータは、シート材別の衝撃力の値を格納したものであってもよい。この際は、圧電素子２０２からの電圧信号を衝撃力に換算することになる。
【００３０】
そして、図４のＳ４０５にてシート材２０３を識別した識別データは、制御部１０２から画像形成装置の制御部などに送信され、当該シート材２０３の画像形成処理に対する画像形成装置の動作設定等に用いられる。
【００３１】
以降は、シート材が通過する毎に、上述したシート材の識別動作をおこない、同様に各シート材の識別をおこなう。なお、例えば画像形成装置に同種のシート材を収納する給紙トレー等がある場合には、当該給紙トレーが開閉されるまで、最初のシート材の識別情報を以降のシート材に対して用いることも考えられ、このような場合にシート材の通過毎に識別動作をおこなう必要がないことは勿論のことである。
【００３２】
以上説明したように、第１の実施の形態にかかるシート材識別装置１００によれば、印加衝撃力検知部１０３が、シート材２０３が介在していない状態で衝撃印加部材２０１が印加するシート材不在衝撃力を印加衝撃力として検知し、シート材介在衝撃力検知部１０４が、シート材２０３が介在した状態で受ける衝撃印加部材２０１からのシート材介在衝撃力を検知し、識別部１０５がこれら印加衝撃力とシート材介在衝撃力とに基づいてシート材２０３の識別をおこなうので、シート材２０３の識別を精度良くおこなうことができるようになる。
【００３３】
また、第１の実施の形態にかかるシート材識別装置１００によれば、衝撃印加部材２０１が圧電素子２０２に直に衝撃力を印加することにより、例えばばね２０６の劣化や結露、外乱などによる影響を含めた衝撃力としてシート材不在衝撃力を検知できるので、衝撃印加部材２０１が印加する印加衝撃力を精度良く検知することができるようになる。
【００３４】
また、第１の実施の形態にかかるシート材識別装置１００によれば、衝撃印加部材２０１は、ガイド２０５内に敷設されたばね２０６によって加速されて圧電素子２０２やシート材２０３に衝撃力を印加できることにより、識別処理を高速におこなうことができるようになる。これにより、搬送路上をシート材２０３が搬送中であっても、シート材２０３の識別を精度良くおこなうことができるようになる。
【００３５】
なお、第１の実施の形態においては、シート材不在衝撃力をあらかじめ検知してからシート材介在衝撃力を検知する場合を一例として説明したが、検知する順序を逆とし、シート材介在衝撃力を検知した後でシート材不在衝撃力を検知して識別をおこなうようにしてもよい。
【００３６】
＜第２の実施の形態＞
つぎに、本発明の第２の実施の形態にかかるシート材識別装置を図５及び図６に沿って説明する。図５は第２の実施の形態にかかる衝撃印加機構部の構成を示す斜視図、図６は第２の実施の形態にかかるシート材識別装置のシート材識別動作を示すフローチャートである。
【００３７】
なお、第２の実施の形態にかかるシート材識別装置は、上記第１の実施の形態を一部変更したものであって、図５において図１及び図２と同一符号は、同一又は相当部分を示し、他の同一部分も含め、その説明を省略する。
【００３８】
図５に示すように、フォトカプラ（速度検知手段）５０１ａ，５０１ｂは、図１乃至図３に示したシート材識別装置１００の衝撃印加機構部１０１に配設され、より詳しくは、衝撃印加機構部１０１が備える衝撃印加部材２０１の近傍であって、当該衝撃印加部材２０１が衝撃力を印加する際に移動する方向に所定の距離を置いて並べて配設されている。
【００３９】
また、フォトカプラ５０１ａ，５０１ｂは、それぞれ光を発する発光部と、発光部からの光を受ける受光部とを備えており、発光部から発した光が受光部に届くまでの間に何らかの遮光物によって遮光された際に信号を発生する光遮蔽センサ等のセンサ素子からなる。この性質を利用し、衝撃印加部材２０１が衝撃力を印加する際に移動して、フォトカプラ５０１ａ，５０１ｂが備えるそれぞれの発光部からの光を順に遮光する際に信号を発生する。
【００４０】
つぎに、第２の実施の形態にかかるシート材識別装置１００の動作を説明する。図３と同様に、識別するためのシート材２０３がシート材搬送ガイド２０７に沿って衝撃印加部材２０１の先端部分と圧電素子２０２との間まで搬送されると、シート材介在衝撃力検知部１０４によって不図示のモータが制御され、衝撃印加部材２０１によりシート材２０３に対して衝撃力を印加する（図６のＳ６０１）。
【００４１】
衝撃印加部材２０１がシート材２０３に対して衝撃力を印加する際、衝撃印加部材２０１は、フォトカプラ５０１ａ、フォトカプラ５０１ｂの順に、それぞれの発光部からの光を遮光しながら移動する。これにより、フォトカプラ５０１ａ，５０１ｂは、それぞれが遮光された際に発生する信号を順に印加衝撃力検知部１０３へと伝達する。そして、これを受けた印加衝撃力検知部１０３は、伝達された信号の時差から衝撃印加部材２０１が衝撃力を印加する際の速度を検知し、この速度に基づき、例えば衝撃印加部材２０１の質量に応じて算出するなどして、印加衝撃力を検知する（図６のＳ６０２）。
【００４２】
つぎに、衝撃印加部材２０１によりシート材２０３に対して衝撃力が印加されると、図４のＳ４０４のときと同様、圧電素子２０２によって生じた電圧信号がシート材介在衝撃力検知部１０４に伝達され、シート材介在衝撃力検知部１０４がシート材介在衝撃力を検知する（図６のＳ６０３）。
【００４３】
そして、識別部１０５は、図４のＳ４０５と同様、上述した印加衝撃力検知部１０３にて検知した印加衝撃力と、シート材介在衝撃力検知部１０４によって検知したシート材介在衝撃力とに基づき、シート材２０３が吸収した衝撃力を算出し、例えばあらかじめ用意されたシート材別のテーブルデータを参照するなどして、シート材２０３の識別をおこなう（図６のＳ６０４）。
【００４４】
このテーブルデータは、シート材別に割り当てられた衝撃力の値が記録されているものであり、例えば不図示のＲＯＭやデータベースなどにあらかじめ格納されているものである。なお、テーブルデータは、シート材別に割り当てられた電圧の値を格納したものであってもよい。この際は、印加衝撃力検知部１０３が検知した速度を電圧に換算することになる。
【００４５】
以上説明したように、第２の実施の形態にかかるシート材識別装置１００によれば、衝撃印加部材２０１がシート材２０３に衝撃力を印加する際の速度をフォトカプラ５０１ａ，５０１ｂを用いて検知することができるので、衝撃印加部材２０１が印加する印加衝撃力を速度から検知することができるようになる。それにより、シート材２０３の識別を精度良くおこなうことができるようになる。
【００４６】
また、第２の実施の形態にかかるシート材識別装置１００によれば、衝撃印加部材２０１がシート材２０３に対して衝撃力を印加する際に、印加衝撃力を検知することができ、つまり、第１の実施の形態のような試打を不要とすることができるので、シート材２０３の識別に要する時間を短縮することができる。
【００４７】
なお、第２の実施の形態においては、衝撃印加部材２０１の速度を検知するものとしてフォトカプラ５０１ａ，５０１ｂを用いているが、速度センサなど被対象物の速度を検知できるものであれば何を用いてもよい。
【００４８】
＜第３の実施の形態＞
つぎに、本発明の第３の実施の形態にかかるシート材識別装置を図７を用いて説明する。図７は、第３の実施の形態にかかる衝撃印加機構部の構成を示す斜視図である。なお、第３の実施の形態にかかるシート材識別装置は、上記第１の実施の形態を一部変更したものであって、図７において図１及び図２と同一符号は、同一又は相当部分を示し、他の同一部分も含め、その説明を省略する。
【００４９】
図７に示すように、振動センサ（振動量検知手段）７０１は、図１乃至図３に示したシート材識別装置１００の衝撃印加機構部１０１が備える衝撃印加部材２０１の近傍に設置されており、例えば検知する対象物が振動することによって生じる変位や速度を、電圧や電流等の電気的な出力信号として発生する非接触型のセンサ素子からなる。振動センサ７０１は、この性質を利用し、衝撃印加部材２０１に生じる振動に応じた出力信号を発生する。
【００５０】
つぎに、第３の実施の形態にかかるシート材識別装置１００の動作を説明する。例えば、画像形成装置のセンサ等を介してシート材が搬送されてくることがシート材識別装置１００に信号入力されると、振動センサ７０１は衝撃印加部材２０１の振動量の検知を開始する。
【００５１】
これにより、振動センサ７０１は、検知している衝撃印加部材２０１が生じる振動量に応じた信号を発生し、印加衝撃力検知部１０３へと信号を伝達することにより、印加衝撃力検知部１０３は衝撃印加部材２０１の振動量を検知する。これを受けて、印加衝撃力検知部１０３は、検知している振動量が所定量以下となった場合には、印加衝撃力検知部１０３の静定時印加許可手段により、衝撃印加部材２０１による衝撃力の印加の実行を許可する。
【００５２】
また、印加衝撃力検知部１０３は、検知している振動量が所定量以下でない場合には静定時印加許可手段によりシート材２０３の識別の実行を不許可とし、例えば画像形成装置の制御部等に信号を送信してシート材２０３の搬送を待機させる。そして、振動センサ７０１は搬送を待機させた後も検知を継続し、振動量が所定量以下となった際に、シート材２０３の搬送を再開させると共に、静定時印加許可手段によって衝撃印加部材２０１による衝撃力の印加の実行を許可する。
【００５３】
ところで、上述した振動センサ７０１が検知する振動は、例えば衝撃印加部材２０１が衝撃力を印加した直後等に、衝撃印加部材２０１にて生じるものである。このような振動が衝撃印加部材２０１に生じている際は、衝撃印加部材２０１により印加する印加衝撃力が不安定な状態になってしまう。一方、検知される衝撃印加部材２０１の振動量が所定量以下である際は、衝撃印加部材２０１が静定した状態であり、衝撃印加部材２０１が印加する衝撃力は定常的な値となる。
【００５４】
即ち、衝撃印加部材２０１の振動量が所定量以下である際に、衝撃力の印加の実行を許可することで、静定時において衝撃印加部材２０１は定常的な衝撃力を印加することができるので、例えばシート材識別装置１００の製造時などに計測しておくことで印加衝撃力があらかじめ分かり、つまり、衝撃印加部材２０１が印加する衝撃力を定常的なものとすることで印加衝撃力を推定的に検知することができる。
【００５５】
上述のように衝撃印加部材２０１によりシート材２０３に対して衝撃力の印加の実行が許可されると、図４のＳ４０４の場合と同様に、圧電素子２０２によって生じた電圧信号がシート材介在衝撃力検知部１０４に伝達され、シート材介在衝撃力検知部１０４がシート材介在衝撃力を検知する。
【００５６】
つづいて、識別部１０５は、上述した推定的に検知した印加衝撃力とシート材介在衝撃力とに基づき、シート材２０３が吸収した衝撃力を算出し、例えばあらかじめ用意されたシート材別のテーブルデータを参照するなどして、シート材２０３の識別をおこなう。
【００５７】
このテーブルデータは、シート材別に割り当てられた衝撃力の値が記録されているものであり、例えば不図示のＲＯＭやデータベースなどにあらかじめ格納されているものである。なお、テーブルデータは、シート材別に割り当てられた電圧の値を格納したものであってもよい。この際は、印加衝撃力検知部１０３が検知した衝撃力を電圧に換算することになる。
【００５８】
以上説明したように、第３の実施の形態にかかるシート材識別装置１００によれば、振動センサ７０１を用いて衝撃印加部材２０１の振動量を検知し、静定時印加許可手段が衝撃印加部材２０１の振動量が所定量以下である際に衝撃力の印加を許可するので、定常的な印加衝撃力を検知することができるようになる。それにより、シート材２０３の識別を精度良くおこなうことができるようになる。
【００５９】
なお、第３の実施の形態においては、振動センサ７０１は、上述したような画像形成装置のセンサ等を介してシート材が搬送されてくることがシート材識別装置１００に信号入力された場合に検知するだけに限らず、画像形成装置が稼動状態にある間は常に振動量を検知する状態にしておいてもよい。
【００６０】
また、以上で説明した、第１乃至第３の実施の形態においては、シート材識別装置１００は、複写機、プリンタ、あるいはＦＡＸ等の画像形成装置に設置されるとして説明したが、例えば券売機や自動販売機等、シート材の種類の識別を必要とするものであれば何に用いてもよい。
【００６１】
また、第１乃至第３の実施の形態においては、衝撃印加部材２０１を加速させるための部材をばね２０６であるとして説明したが、他のゴム等の弾性部材を用いてもよい。
【００６２】
また、第１乃至第３の実施の形態においては、圧電素子２０２により衝撃印加部材２０１が印加する衝撃力を電圧信号として発生させるとしたが、印加する衝撃力をそれに応じた、数値データとして発生させることができるものであれば何を用いてもよい。
【００６３】
また、第１乃至第３の実施の形態においては、衝撃印加部材２０１から受ける衝撃力によって圧電素子２０２で生じる電圧信号には、適宜、フィルタ等でノイズ成分の除去やアンプによる増幅等をおこなってもよい。
【産業上の利用可能性】
【００６４】
以上のように、本発明にかかるシート材識別装置は、画像形成装置にて画像を形成する際のシート材の識別をおこなう際に有用であり、特に、品質の良い画像形成をおこなうことが要求される画像形成装置に適している。
【図面の簡単な説明】
【００６５】
【図１】本発明にかかるシート材識別装置の機能的構成を示すブロック図。
【図２】第１の実施の形態にかかる衝撃印加機構部の構成及びシート材が介在していない状態を示す断面図。
【図３】第１の実施の形態にかかる衝撃印加機構部の構成及びシート材が介在している状態を示す断面図。
【図４】シート材識別装置のシート材識別動作を示すフローチャート。
【図５】第２の実施の形態にかかる衝撃印加機構部の構成を示す斜視図。
【図６】第２の実施の形態にかかるシート材識別装置のシート材識別動作を示すフローチャート。
【図７】第３の実施の形態にかかる衝撃印加機構部の構成を示す斜視図。
【符号の説明】
【００６６】
１００    シート材識別装置
１０１    衝撃印加手段（衝撃印加機構部）
１０３    印加衝撃力検知手段（印加衝撃力検知部）
１０４    シート材介在衝撃力検知手段（シート材介在衝撃力検知部）
１０５    識別手段（識別部）
２０１    衝撃印加部材
２０３    シート材
２０７    搬送路（シート材搬送ガイド）
５０１    速度検知手段（フォトカプラ）
７０１    振動量検知手段（振動センサ）
【図１】
2005351675.tif 000003
【図２】
2005351675.tif 000004
【図３】
2005351675.tif 000005
【図４】
2005351675.tif 000006
【図５】
2005351675.tif 000007
【図６】
2005351675.tif 000008
【図７】
2005351675.tif 000009